(57)【特許請求の範囲】
【請求項１】
記録再生用案内溝を有する透明基板上に、光学的に信号記録が可能な記録層と、記録再生光を反射する反射層と、オーバーコート層と、印刷層とがこの順に設けられ、光記録媒体の回転により記録案内溝を走査させたレーザ光の反射光の強度変化により信号の読み取りが可能な円盤状の光記録媒体において、印刷層及びオーバーコート層の少なくとも一方に重量付与部を備え、重量付与部は、回転軸中心に対して５及び７回対称の位置にあることを特徴とする光記録媒体。
【請求項２】
重量付与部は、印刷層及びオーバーコート層の少なくとも一方の厚みを付与することにより形成されることを特徴とする請求項１に記載の光記録媒体。
【請求項３】
重量付与部の領域が、光入射面を下にしたときの上側の面全体の表面積の２０％以上であることを特徴とする請求項１又は２に記載の光記録媒体。
【請求項４】
印刷層又はオーバーコート層の少なくとも一方の重量が、０．１ｇ以上であることを特徴とする請求項１乃至３のいずれかに記載の光記録媒体。
【請求項５】
偏重心が２．０ｇ・ｍｍ以下であることを特徴とする請求項１乃至４のいずれかに記載の光記録媒体。
【発明の詳細な説明】
【０００１】
【発明の属する技術分野】
本発明は、音情報や画像情報などの記録や再生を目的とした光記録媒体に関する。
【０００２】
【従来の技術】
従来、ＣＤ（コンパクトディスク）は、オーディオやコンピューターソフトウェアの再生専用の光記録媒体であったが、近年ＣＤフォーマットを用いた記録可能な光記憶媒体であるＣＤ−Ｒ（ＣＤ−Ｒｅｃｏｒｄａｂｌｅ）、ＣＤ−ＲＷ（ＣＤ−Ｒｅｗｒｉｔａｂｌｅ）の登場により、コンピューターの光記録媒体としてその用途が多様化している。
【０００３】
その多様化する用途のなかで、オーディオやビジュアルなどのアナログ情報をデジタル信号で記録する際において、信号フォーマットが同じであれば、光記録媒体による音質、画質の差は無いはずである。また、理論上デジタル信号は、複製による劣化は無いはずであるが、微妙な音質、画質の差異が官能評価によって認められている。
【０００４】
これらの原因として、信号エラー、信号読み取りピックアップ装置のサーボ系に流れる余計な電流によるノイズ、光記録媒体表面の帯電及び帯磁などが挙げられているが、明確な原因は得られていないのが実状であり、オーディオ、ビジュアル用途として、より高品位記録が可能な光記録媒体を望む声が高まっている。
【０００５】
このため、従来において高品位記録を可能にする技術としては、（１）信号読み取り光の光記録媒体内における乱反射の防止、（２）光記録媒体の振動の抑制、（３）光記録媒体表面の帯電、帯磁の防止もしくは消去、の３つに大別できる。
【０００６】
上述の（１）の乱反射を防止する技術としては、光記録媒体表面もしくは側面に乱反射光を吸収する薬剤を塗布する技術（例えば、実開平５−５４８３号公報）、ディスク表面に乱反射を吸収する色相を設けたシートもしくはアダプタを装着する技術、乱反射光を光記録媒体端面より放出する技術（例えば、特開平１１−３２８７２７号公報等）がある。
【０００７】
また、（２）の記録媒体の振動を抑制する技術としては、光記録媒体の表面にシートを貼付する技術（例えば、特開平６−６０５８９）、再生時に光記録媒体上に重量物を載せる技術がある。シートを貼付する技術は、光記録媒体の乱反射光を抑えるシートに機能を付加して用いることもある。
【０００８】
（３）の光記録媒体表面の磁気、静電気を防止もしくは消去する技術として、消磁装置を用いる方法（たとえば特許第２９４２７６０号公報）、光記録媒体にパターンカットをいれる方法（例えば、特開平１１−２４６８３３号公報）等がある。
【０００９】
【発明が解決しようとする課題】
しかし、上述した技術は、いずれも、光記録媒体に薬剤を塗布したり、シールを貼付したり、パターンカットを施したり等、光記録媒体の外部から手を加えたり、別の装置を用いたりしているため、光記録媒体が厚く且つ重くなるとともに、コストが高いという課題がある。
【００１０】
特に、シートを貼付する技術では、シートの厚みにより再生機にかからなくなってしまい、再生機の互換性に問題があるとともに、シートの装着位置がずれることにより偏重心が増大し却って音質の低下を招き、しかも、シートをはがす際、光記録媒体の反射層を傷つけるといった虞がある。
【００１１】
そこで、本発明は、高品位な記録再生を図りつつ、軽量で薄く且つ低コストな光記録媒体を提供することを目的とする。
【００１２】
【課題を解決するための手段】
請求項１に記載の発明は、記録再生用案内溝を有する透明基板上に、光学的に信号記録が可能な記録層と、記録再生光を反射する反射層と、オーバーコート層と、印刷層とがこの順に設けられ、光記録媒体の回転により記録案内溝を走査させたレーザ光の反射光の強度変化により信号の読み取りが可能な円盤状の光記録媒体において、印刷層及びオーバーコート層の少なくとも一方に重量付与部を備え、重量付与部は、回転軸中心に対して５及び７回対称の位置にあることを特徴とする。
【００１３】
この請求項１に記載の発明では、印刷層及びオーバーコート層の少なくとも一方に、重量付与部を複数設けており、これら重量付与部は、回転軸中心に対して２π／ｎ（ｎ＝重量付与部の配置数）の回転で同じ形状（領域）が繰り返されるように配置されている。即ち、回転軸中心に対して５及び７回対称の位置にある重量付与部を設けており、これによって光記録媒体の６００Ｈｚ以下の低周波振動を抑制でき、高品位な記録再生が図れ、高品質の音質及び画像を得ることができた。
【００１４】
また、光記録媒体を構成する印刷層及びオーバーコート層の少なくとも一方に、重量付与部を設けるだけであり、別途シール等を貼付しないので、軽量で薄く且つ低コストであり、偏重心を抑制することができる。更に、光記録媒体の重さ及び厚さを管理し高品質を維持することが容易であり、光記録媒体表面の平滑性、外観に優れ、再生機の互換性に懸念する必要がない。
【００１５】
請求項２に記載の発明は、請求項１に記載の発明において、重量付与部は、印刷層及びオーバーコート層の少なくとも一方の厚みを付与することにより形成されることを特徴とする。
【００１６】
この請求項２に記載の発明では、請求項１に記載の発明と同様な作用効果を奏するとともに、重量付与部は、印刷層及びオーバーコート層の少なくとも一方に厚みを付与するだけであり構成が簡単である。
【００１７】
また、光記録媒体を構成する印刷層及びオーバーコート層の少なくとも一方に、重量の偏り部を設けるだけであり、別途シール等を貼付しないので、軽量で薄く且つ低コストであり、偏重心を抑制することができる。更に、光記録媒体の重さ及び厚さを管理し高品質を維持することが容易であり、光記録媒体表面の平滑性、外観に優れ、再生機の互換性に懸念する必要がない。
【００１８】
請求項３に記載の発明は、請求項１又は２に記載の発明において、重量付与部の領域が、光入射面を下にしたときの上側の面全体の表面積の２０％以上であることを特徴とする。
【００１９】
この請求項３に記載の発明では、請求項１又は２に記載の発明と同様な作用効果を奏するとともに、実験により、重量付与部の領域を光入射面を下にしたときの上側の面全体の表面積の２０％以上にしたところ、更に高品質な音質及び画像を得ることができた。
【００２０】
請求項４に記載の発明は、請求項１乃至３のいずれかに記載の発明において、印刷層又はオーバーコート層の少なくとも一方の重量が、０．１ｇ以上であることを特徴とする。
【００２１】
この請求項４に記載の発明では、請求項１乃至３のいずれかに記載の発明と同様な作用効果を奏するとともに、実験により、印刷層又はオーバーコート層の少なくとも一方の重量を０．１ｇ以上にしたところ、更に高品質な音質及び画像を得ることができた。
【００２２】
請求項５に記載の発明は、請求項１乃至４のいずれかに記載の発明において、偏重心が２．０ｇ・ｍｍ以下であることを特徴とする。
【００２３】
この請求項５に記載の発明では、請求項１乃至４のいずれかに記載の発明と同様な作用効果を奏するとともに、実験により、光記録媒体の偏重心を２．０ｇ・ｍｍ以下にしたところ、更に高品質な音質及び画像を得ることができた。
【００２４】
【発明の実施の形態】
以下、添付した図面を参照しながら本発明の実施の形態を詳細に説明する。図１は、本発明に係る光記録媒体を模式的に示す模式図であり、図２は、光記録媒体を示す平面図である。
【００２５】
図１及び図２に示すように、光記録媒体１は、図示しない再生用案内溝を有する透明基板３の上に、光学的に信号記録が可能な記録層５と、記録再生光を反射する反射層７と、オーバーコート層９と、印刷層１１とが設けられており、ｈ仮記録媒体１の回転により記録案内溝を操作させたレーザ光の反射光の強度変化により信号の読み取りが可能になっている。このような構造を持つ光記録媒体１としては、例えば、ＣＤ−Ｒ、ＤＶＤ−Ｒ等が挙げられ、本実施の形態では、代表的な光記録媒体１としてＣＤ−Ｒを用いている。
【００２６】
透明基盤３には、ポリカーボネートを用いた。このほかに透明基盤３として、ポリメチルメタクリレート、ポリメチルペンテン、またはエポキシなどの透明樹脂材料を所望の形状に成形したもの、或いは所望の形状に成形されたガラス等の透明セラミックなどを用いることができる。
【００２７】
本実施の形態では、記録層５は、フタロシアニン系色素を透明基板３上に塗布し形成した。この他に記録層５の材料として、ポリメチン系色素、アントラキノン系色素、シアニン系色素、ナフタロシアニン系色素、キサンテン系色素、トリフェニルメタン系色素、ピリリウム系色素、アズレンケイ色素、含金属アゾ染料、アゾ染料などを挙げることができる。
【００２８】
これらのうちでは、ジカルボシアニン誘導体、フタロシアニン誘導体、ナフタロシアニン誘導体、シアニン誘導体、アゾ染料誘導体が特に好適に用いられる。又、アミニウム系色素などの各種クエンチャが添加された色素材料を用いることもできる。更には、上記色素材料郡より選択される１種又は２種以上の色素材料を樹脂中に分散したものを記録層の形成材料として用いることもできる。色素材料を分散可能な樹脂材料としては、アクリル樹脂、ビニル樹脂、フェノール樹脂、フッ素樹脂、シリコーン樹脂、ポリアミド樹脂、セルロース樹脂などを挙げることができる。
【００２９】
また、これら色素材料を透明基板３上へ塗布する際の色素材料の溶剤としては、アルコール系溶剤あるいはセルソルブ系溶剤などを用いることができる。さらに、以下に示す二座配位子を取りうるキレート材を含有してもよい。例えば、無機酸類、ジカルボン酸類、オキシカルボン酸類、ジオキシ化合物、オキシオキシム類、オキシアルデヒドおよび誘導体類、ジケトン類および類似化合物、オキシキノン類、トロボロン類、Ｎ−オキシド化合物、アミノカルボン酸および類似化合物、ヒドロキシルアミン類、オキシン類、アルジミン類、オキシオキシム類、オキシアゾ化合物、ニトロソナフトール類、トリアゼン類、ピウレット類、ホルマザン類およびジチゾン類、ビクアリド類、グリオキシム、ジアミン類および類似化合物、ヒドラジン誘導体、チオエーテル類がある。さらに、イミノ基（イミド、アミド）を有する誘導体も使用可能である。
【００３０】
また、上記の有機材料の他、原子配列を変化し情報の記録ができる相変化材料も使用可能である。この場合において、図１に示す記録層５とは、相変化材料の層及び相変化材料の熱を保持するための断熱層を含めるものとする。具体的にはＡ−Ｂ−Ｃ−Ｇｅ−Ｔｅで代表される合金である。
【００３１】
ここでＡ＝Ｃｕ，Ａｇ、Ａｕ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ｐｄ、Ｈｆ、Ｔａ、Ｗ、Ｉｒ、Ｐｔ、Ｈｇ、Ｂ、Ｃ、Ｎ、Ｐ、Ｏ、Ｓ、Ｓｅ、ランタニド元素、アクチニド元素、アルカリ土類金属元素、不活性ガス元素、などのうち少なくとも一つの元素を表す。
【００３２】
ＢはＴｌ、Ｉなどハロゲン元素、およびＮａなどのアルカリ金属元素のうち少なくとも一元素。
【００３３】
ＣはＳｂ、Ｓｎ、Ａｓ、Ｐｂ、Ｂｉ、Ｚｎ、Ｃｄ、Ｓｉ、Ａｌ、ＧａおよびＩｎのうち少なくとも一元素。また、光磁気材料に使用される金属材料、たとえば上記金属元素のＴｂ、Ｆｅ、Ｃｏなども記録層として使用可能である。保護層は、同一あるいは個別の材料により構成される。それぞれの材料として、ＳｉＯ、ＳｉＯ２、ＺｎＯ、ＳｎＯ２、Ａｌ２Ｏ３、ＴｉＯ２、Ｉｎ２Ｏ３、ＭｇＯ、ＺｒＯ２などの酸化物、Ｓｉ３Ｎ４、ＡｌＮ、ＴｉＮ、ＢＮ、ＺｒＮなどの窒化物、ＺｎＳ、Ｉｎ２Ｓ３、ＴａＳ４などの硫化物、ＳｉＣ、ＴａＣ、Ｂ４Ｃ、ＷＣ、ＴｉＣ、ＺｒＣなどの炭化物又はダイヤモンド状炭素、あるいはこれらの2種以上の混合物が用いられる。又、成形方法としては、スパッタリング、イオンプレーティング、真空蒸着法、プラズマCVD法などが用いられる。
【００３４】
本実施の形態では、反射層７として、スパッタ法により銀膜を形成した。この他に反射層７の材料としては、アルミニウム、銀、銅などの金属材料又はこれらを主成分とする合金材料を使用することができる。特に金を主体とする金属または合金を用いる事が好適である。銀を主体とするときは、銀の含有率が８０〜１００原子％、特に９０〜１００％であることが好ましい。また、これらの反射層材料のうちでは、安価でありかつコンパクトディスクにおいて使用されて実績が有ることから、アルミニウムを使用することもできる。金属層材料として金属材料又は合金材料を用いる場合には、スパッタリングや真空蒸着などの真空成膜方法によって、反射層を形成することができる。この場合、真空槽内の真空度を変えて（例えば、１０−５ｔｏｒｒ程度）スパッタリングを行い、密度または結晶化の状態の違う膜を形成して金属反射膜の反射率を高くする技術を適用することもできる。
【００３５】
オーバーコート層９は主に光硬化樹脂膜を塗布後光硬化により成形する方法が用いられる。本実施の形態では、オーバーコート層９として、ＵＶ硬化樹脂膜を用いた。この他に、ＳｉＯ，ＳｉＮ，ＡｌＮ等の無機材料を用いて、真空成膜方法によって形成することができる。
【００３６】
また、本実施の形態では、オーバーコート層９の上に印刷層１１を設けている。印刷層１１の材料としては、光硬化樹脂が主に用いられる。また親水性材料としてポリビニルピロリドン、ポリビニルアルコール、体質顔料などがオーバーコート層上あるいは光硬化樹脂印刷層１１上に塗布して用いられる。また、オーバーコート層９に着色された樹脂を用い印刷層１１と併用することもある。本実施の形態では印刷層１１の材料としてＵＶ硬化樹脂を用いた。
【００３７】
印刷層１１に使用されるインクはＵＶ硬化樹脂材料として、ヒドロキシエチル（メタ）アクリレート、ヒドロキシプロピル（メタ）アクリレート、ヒドロキシブチル（メタ）アクリレート、ヒドロキシベンチル（メタ）アクリレート、フェノキシヒドロキシプロピル（メタ）アクリレート、クロロヒドロキシプロピル（メタ）アクリレート、ジエチレングリコールモノ（メタ）アクリレート、トリエチレングリコールモノ（メタ）アクリレート、ポリエチレングリコールモノ（メタ）アクリレート、ジプロピレングリコールモノ（メタ）アクリレート、ポロプロピレングリコールモノ（メタ）アクリレート、グリセリンモノ（メタ）アクリレート、グリセリンジ（メタ）アクリレート、ペタンエリスリトール(メタ)アクリレート、フェニルグリシジルエーテル（メタ）アクリレート、ジペンタエリスリトールペンタ（メタ）アクリレート、ビスフェノールＡエポキシ樹脂のジ（メタ）アクリレートなどのアクリレート樹脂等があげられる。
【００３８】
これらの樹脂に架橋性モノマーを加えても良く、例えばトリメチロールプロパントリ（メタ）アクリレート、アクリル化イソシアヌレート、１．４ブタンジオールジ（メタ）アクリレート、１．６ヘキサンジオールジ（メタ）アクリレート、ネオペンチルグリコールジ（メタ）アクリレート、ジシクロペンタジエニルジ（メタ）アクリレート、ペンタエリスリトールテトラ（メタ）アクリレートなどが用いられる。特に、ポリマーとしてビスフェノールＡエポキシ樹脂のジ（メタ）アクリレート、モノマーとしてトリメチロールプロパントリ（メタ）アクリレートなどが望ましい。
【００３９】
紫外線硬化させるにはラジカル開始剤が必要で、１−ヒドロキシシコロヘキシルフェニルケトン、２−ヒドロキシ−２−メチル−１−フェニルプロパン−１−オン、２．２−ジエトキシアセトフェノン、４−フェノキシ−２．２−ジクロロアセトフェノン等のアセトフェノン系、２−ヒドロキシ−２−メチルプロピオフェノン等のプロピオフェノン系、２−クロロアントラキノン等のアントラキノン系、２．４−ジエチルチオキサントン等のチオキサントン系が挙げられる。これらは通常組成比（重量比）にして１％〜１０％である。１種類でも２種類以上を混合して使用してもよい。特に、２−ヒドロキシ−２−メチル−１−フェニルプロパン−１−オンが望ましい。また、必要に応じて増粘剤を添加しても良く、タルクや二酸化ケイ素、硫酸バリウムが望ましい。シリコン系の消泡剤を添加しても良い。
【００４０】
さらに色調を調整するために、顔料や染料を添加してもよく、アゾ染料、アゾ顔料、アニリンブラック、アリザリンレーキ、アルカリブルー、アントラノン系顔料、アントラノン系染料、イソインドリン顔料、イソインドリノン顔料、カーボンブラック、キナキリドン顔料、キノフタロン顔料、キノフタロン染料、ジオキサンジン顔料、キクロルキノキサリン系染料、スチリル系分散染料、チオインジゴ系顔料、ジクロルキノキサリン系染料、スチリル系分散染料、チオインジゴ系分散染料、チオインジゴ系顔料、トリアジン系反応染料、ニトロジフェニルアミン系分散染料、ニトロソ顔料、ビニルスルホン系反応染料、ピリミジン系反応染料、ピロコリン系顔料、フタロシアニン系顔料、フルオルビン系顔料、ブロムアクリルアミド系染料、ペリノン顔料、ペリレン顔料、ホスホン酸系反応染料、金属錯塩アゾメチン顔料、染付けレーキ、二官能基反応染料、複合型反応染料、またタルク、硫酸バリウムなどの体質顔料があげられる。
【００４１】
ここで、音楽情報をＣＤ−Ｒといった光記録媒体に記録した場合、多くのＣＤ−Ｒにおいて全体的のピッチが高く硬い音質になってしまう。この原因として、光記録媒体の振動が信号読み取り時のサーボに載り、それにより起因されるノイズにより再生信号が抑えられることが考えられる。一般に、ＣＤ−Ｒは低周波振動があるため、近傍の周波数成分の出力が抑えられ、その結果、ピッチが高く聞えると考えられる。そのため、光記録媒体の低周波成分の振動を抑制することにより、音質の改善が可能であると推測できる.
また、光記録媒体の再生時に加振される周波数は光記録媒体の回転によるものが最も大きい。即ち、ＣＤ及びＤＶＤの再生時の回転数であるおよそ３〜８Ｈｚ、９〜２４Ｈｚが最も大きい。これらの基本振動の高調波成分まで考慮すると、６００Ｈｚより低い振動を抑えることは、光記録媒体の記録再生時の振動を抑え高品位な記録再生において有効な手段である。
【００４２】
一般に、剛体においては振動のモードにより固有振動数は異なり、それら各振動のモードのうち、低周波部のモードを抑制する要素を記録媒体の構造に付加することで、これまでにないキャラクターの音質を実現することができると予測できる。円盤状の剛体の場合、低周波部の信号モードは媒体の半径方向に節及び腹を持つ振動と媒体の円周に腹と節を持つ振動によって大別できる。
【００４３】
図３は直径１２ｃｍ、厚さ１．２ｍｍのポリカーボネートが主成分となる光記録媒体の振動振幅のモードと固有振動数である。図３（ａ）乃至（ｄ）より６００Ｈｚ以下の振動モードは、光記録媒体の回転軸に対して4回対称以下の回転対称性を持つ振動によって構成される。
【００４４】
本実施の形態では、光記録媒体１の回転軸に対して、更に高い固有振動数に対応する５回対称以上の回転対称性を持つ振動を励起することにより６００Ｈｚ以下の振動を抑制している。即ち、図２に示すように、印刷層１１に、他の部分よりも厚みを付与することで、所定の重量を付与した重量付与部１１ａを５つ設けている。これら重量付与部１１ａは、回転軸中心１３に対して２π／５の回転で同じ形状（本実施の形態では円形状）が繰り返されるように配置されている。このように、回転軸中心に対して５回対称の位置にある重量付与部１１ａを設けており、これによって光記録媒体１の６００Ｈｚ以下の低周波振動を抑制でき、高品位な記録再生が図れ、高品質の音質及び画像を得ることができた。
【００４５】
即ち、硬化させた印刷層１１の構造とその構造を有する光記録媒体１の記録再生品質を、後述する音情報の再生音質により評価したところ高品質であった。詳細なメカニズムは未解析だが、印刷層１１内部の重量付与部１１ａが光記録媒体１の振動特性に影響し、記録再生時の振動を効率良く吸収するためと考えられる。したがって、本実施の形態では、含有される無機物の内、力学的効果が大きい粒径の大きいものに着目し、印刷層１１に重量付与部１１ａを設けた。
【００４６】
本実施の形態においては、特に二酸化チタン、タルク、二酸化ケイ素を添加したインクを使用することで、音質の良好な光記録媒体１を得た。すなわち本実施の形態では印刷層１１の材料として二酸化チタン及びタルクの添加されているＵＶ硬化樹脂インクＡ、及び2酸化ケイ素及びタルクの添加されているＵＶ硬化樹脂インクＢ、及びインクＡに酸化チタン、タルクが含まれていないインクＣを用いた。インクの比重はそれぞれインクＡが１．７ｇ／ｃｍ３、インクＢが１．３ｇ／ｃｍ３である。
【００４７】
本発明は、上述した実施の形態に限定されず、その要旨を逸脱しない範囲内において、種々の変形が可能である。例えば、本実施の形態において使用した光記録媒体１は、有機色素を記録層５に用いた光記録媒体であるが、記録層５の種類によらず適用でき、相変化材料を記録層５に用いた場合も適用される。
【００４８】
本実施の形態では、重量付与部１１ａを５つ設けたが、これに限定されず、５以上の素数（例えば、７、１１等）だけ設けられていれば良い。更に、重量付与部１１ａの形状は、円形状のみならず、図４に示すように、５角形をなしていても良く、特に限定しない。尚、図４においては、図１の光記録媒体１と同様な作用効果を奏する部分には、同一の符号を付しすることにより、その部分の説明を省略する。
【００４９】
本実施の形態では、重量付与部１１ａを印刷層１１のみに設けたが、これに限定されず、オーバーコート層９にも設けたり、或いはオーバーコート層９のみに設けても良く、印刷層１１及びオーバーコート層９の少なくとも一方に設けられていれば良い。
【００５０】
【実施例】
以下、表１に示す実施例によって本発明を具体的に説明する。
【００５１】
【表１】
0004144777.tif 000002
【００５２】
（実施例１）
実施例１の光記録媒体１は、図２に示すように、印刷層１１の重量付与部１１ａの形状を円形状にしたものである。実施例１に用いた光記録媒体１は、透明基板３に厚さ１．２ｍｍのポリカーボネートを用い、この透明基板３上に記録層５としてフタロシアニン系色素を塗布し、記録層５の上に反射層７としてスパッタ法により銀膜を形成した。この反射層７の上に、ＵＶ硬化樹脂膜をもちいたオーバーコート層９を形成し、オーバーコート層９上に印刷層１１をＵＶ硬化樹脂により形成した。
【００５３】
また、実施例１では、光記録媒体１の表面積に対する重量付与部１１ａの面積（表１においては、被印刷領域）を４９％にし、印刷層１１の重量を０．１５ｇにし、光記録媒体１の偏重心を１．６ｇ・ｍｍにした。尚、実施例１、及び後述する実施例２、比較例１、２は、印刷層１１以外の光記録媒体１の製造条件は同一にした。
【００５４】
実施例１では、光記録媒体１の振動の周波数応答関数の振幅値により低周波振動の抑制を判断し、光記録媒体１の音質は記録された音情報を再生、試聴による官能評価により良否を判断した。光記録媒体１の振動の測定方法は、図５に示すように、光記録媒体１をプレーヤーに固定した状態で加振機でプレーヤーの光記録媒体１を固定している部分を振動させ、その振動を光記録媒体１上の測定点における加速度として測定した。そして、加振点の振動と測定点の振動をＦＦＴで周波数分析を行い周波数応答関数として評価した。
【００５５】
官能評価は評価者１０名の試聴評価によって行なった。評価方法は記録装置ＳＯＮＹ  ＣＤＷ９００Ｅにより音楽を後述する各実施例１、２、比較例１、２の光記録媒体１に記録、再生装置ＳＴＵＤＥＲ  Ｄ−７３０からヘッドフォンに出力し試聴を行なった。音質の評価項目は実施例１、２と比較例１、２の音のキャラクターの差異の有無である。この結果は、デジタル信号を記録し光記録媒体１から取り出した音や画像などのアナログ情報の品質評価として応用することができる。また、光記録媒体１の振動特性として、光記録媒体１がプレーヤーに固定した状態における振動を評価した。
【００５６】
（実施例２）
実施例２では、図４に示すように、重量付与部１１ａの形状を５角形とし、この重量付与部１１ａの領域を３０％とし、印刷層１１の重量を０．１５ｇとし、光記録媒体１１の偏重心を１．３ｇ・ｍｍとした以外は、実施例１と同様にした。
【００５７】
（比較例１）
比較例１では、図６に示すように、印刷層１１に重量付与部１１ａを設けず（重量付与部の領域が０％）、印刷層１１の重量を０．０６ｇとし、光記録媒体１の偏重心を１．１ｇ・ｍｍとした以外は、実施例１と同様にした。
【００５８】
（比較例２）
比較例２では、図７に示すように、重量付与部１１ａの領域を１８％にし、印刷層１１の重量を０．０８ｇとし、光記録媒体１の偏重心を１．１ｇ・ｍｍとした以外は、実施例１と同様にした。
【００５９】
上述の実施例１、２及び比較例１、２の実験結果を表２に示す。
【００６０】
【表２】
0004144777.tif 000003
【００６１】
この表２は、各実施例及び比較例の振動モードＡ、Ｂ、Ｃ、Ｄ（図３参照）の固有振動数における周波数応答関数の比較と音のキャラクターの差異を認識した人の数である。各実施例及び比較例の周波数応答関数の比較は、各実施例及び比較例の周波数応答関数大きさを対数化し,比較例１の値を１００とした時の値としてあらわしている。
【００６２】
即ち、表２はほぼ均一な印刷層で塗布された比較例１と、重量付与部１１ａが５回対称に印刷された（設けられた）実施例１、２の振動振幅の比較のうち、図３に示すｍｏｄｅＡ、Ｂ、Ｃ、Ｄについて示したものであり、この表２からも明らかなように、５回対称印刷を施した光記録媒体１の方が低周波の固有振動数を持つｍｏｄｅＡ、Ｂ、Ｃ、Ｄの振動振幅が小さくなっている。
【００６３】
また、音質の変化について、実施例１では１０人中８人が、実施例２では１０人中６人が、比較例１と音のキャラクターが異なると判断している。
【００６４】
また、本発明の効果を高めるためには、印刷層１１及び又はオーバーコート層９の重さがある程度の量必要であるが、実施例１、２により印刷層１１及び又はオーバーコート層９の重さが、０．１ｇ以上において効果を確認した。
【００６５】
また、印刷層９の重量付与部１１ａの様式によっては、光記録媒体１の偏重心が増加してしまうことがある。一般に、偏重心２．５ｇ・ｍｍ以下とされている。更に、記録再生装置のスピンドル部への負荷やトラッキングサーボノイズの発生などを考慮すると２．０ｇ・ｍｍ以下が好適である。実施例１、２の印刷様式は、偏重心の抑制に好適な回転対称な模様であり、実施例１、２において偏重心が２．０ｇ・ｍｍ以下であることを確認した。更に、実施例１、２及び比較例２により、重量付与部１１ａの領域が２０％以上であると、高品位な音質を保つことができ、好ましくは、３０％以上であった。
【００６６】
【発明の効果】
請求項１に記載の発明では、印刷層及びオーバーコート層の少なくとも一方に、回転軸中心に対して５及び７回対称の位置にある重量付与部を設けることで、光記録媒体の６００Ｈｚ以下の低周波振動を抑制でき、高品位な記録再生が図れ、高品質の音質及び画像を得ることができた。
【００６７】
また、光記録媒体を構成する印刷層及びオーバーコート層の少なくとも一方に、重量付与部を設けるだけであり、別途シール等を貼付しないので、軽量で薄く且つ低コストであり、偏重心を抑制することができる。更に、光記録媒体の重さ及び厚さを管理し高品質を維持することが容易であり、光記録媒体表面の平滑性、外観に優れ、再生機の互換性に懸念する必要がない。
【００６８】
請求項２に記載の発明では、請求項１に記載の発明と同様な作用効果を奏するとともに、重量付与部は、印刷層及びオーバーコート層の少なくとも一方に厚みを付与するだけであり構成が簡単である。
【００６９】
請求項３に記載の発明では、請求項１又は２に記載の発明と同様な効果を奏するとともに、重量付与部の領域を光入射面を下にしたときの上側の面全体の表面積の２０％以上にすることにより、更に高品質な音質及び画像を得ることができる。
【００７０】
請求項４に記載の発明では、請求項１乃至３のいずれかに記載の発明と同様な効果を奏するとともに、印刷層又はオーバーコート層の少なくとも一方の重量を０．１ｇ以上にすることにより、更に高品質な音質及び画像を得ることができる。
【００７１】
請求項５に記載の発明では、請求項１乃至４のいずれかに記載の発明と同様な効果を奏するとともに、光記録媒体の偏重心を２．０ｇ・ｍｍ以下にすることにより、更に高品質な音質及び画像を得ることができる。
【図面の簡単な説明】
【図１】本発明に係る光記録媒体を模式的に示す模式図である。
【図２】実施例１に係る光記録媒体を示す平面図である。
【図３】光記録媒体の振動モードを示す図であり、（ａ）は固有振動数が２００Ｈｚの場合であり、（ｂ）は固有振動数が２６０Ｈｚの場合であり、（ｃ）は固有振動数が４７０Ｈｚの場合であり、（ｄ）は固有振動数が７２０Ｈｚの場合である。
【図４】実施例２に係る光記録媒体を示す平面図である。
【図５】光記録媒体の振動の測定方法を説明するための図である。
【図６】比較例１に係る光記録媒体を示す平面図である。
【図７】比較例２に係る光記録媒体を示す平面図である。
【符号の説明】
１      光記録媒体
３      透明基板
５      記録層
７      反射層
９      オーバーコート層
１１    印刷層
１１ａ  重量付与部
【図１】
0004144777.tif 000004
【図２】
0004144777.tif 000005
【図３】
0004144777.tif 000006
【図４】
0004144777.tif 000007
【図５】
0004144777.tif 000008
【図６】
0004144777.tif 000009
【図７】
0004144777.tif 000010